(57)【要約】      （修正有）【課題】ダイアライザーコネクタをその他装置に固定するとき、螺合により接続管が連動されることなく、導管に変形も反回転力も発生せず、ゆるみの現象が生じないダイアライザーコネクタの提供。【解決手段】コネクタＤ上にネジ刻み、上体Ｄ２、嵌合突起Ｄ２１、嵌合体Ｄ２２、溝槽Ｄ２３、下体Ｄ３、嵌合溝Ｄ３１、カバー体Ｄ３２、溝槽と連結部Ｄ４を設け、そのうち、接続管Ｅに凸リングＥ１と内リングＥ２を設置し、接続管がカバー体内に設置され、コネクタの上体と下体間が連結部により相互に連結されており、該連結部を介して上体と下体が閉じ合わされ、且つ、上体の嵌合突起が下体の嵌合溝と嵌合され、上体の嵌合体が下体のカバー体内に圧入され、同時に接続管が固定され、また、上体と下体は共に溝槽を備え、接続管の凸リングがその内部で滑動し、ダイアライザーコネクタと接続管間が回転及び滑動可能な構造であることを特徴とする。【選択図】図４
0003108036.tif 000002
【実用新案登録請求の範囲】
【請求項１】
ダイアライザーコネクタであって、コネクタと接続管から構成され、そのうち、該ダイアライザーコネクタ上にネジ刻み、上体、嵌合突起、嵌合体、溝槽、下体、嵌合溝、カバー体、溝槽と連結部を設け、そのうち、該接続管に凸リングと内リングを設置し、接続管がカバー体内に設置され、上体と下体間が連結部により相互に連結されており、該連結部を介して上体と下体が閉じ合わされ、且つ、上体の嵌合突起が下体の嵌合溝と嵌合され、上体の嵌合体が下体のカバー体内に圧入され、同時に接続管が固定され、また、上体と下体は共に溝槽を備え、接続管の凸リングがその内部で滑動し、ダイアライザーコネクタと接続管間が回転及び滑動可能な構造であることを特徴とする、ダイアライザーコネクタ。       
【考案の詳細な説明】
【技術分野】
【０００１】
本考案はダイアライザーコネクタに関し、特に、接続管がカバー体内に穿通して設置され、また、上体と下体間が連結部により連結され、連結部を介して上体と下体が閉じ合わされ、且つ、上体の嵌合突起が下体の嵌合溝を嵌合し、上体の嵌合体が下体のカバー体内に嵌入され、同時に接続管を固定すると共に、上体と下体が共に溝槽を備え、接続管の凸リングがその内部で滑動し、さらに、ダイアライザーコネクタと接続管間は回転と滑動が可能な構造であり、ダイアライザーコネクタをその他装置に固定するとき、螺合により発生する回転トルクにより接続管が動かされることなく、さらに導管がダイアライザーコネクタの固定の過程において変形せず、且つ、ダイアライザーコネクタを固定した後、導管に変形も反回転力もなく、ダイアライザーコネクタにゆるみの現象が生じないことを特徴とする、ダイアライザーコネクタに関する。
【背景技術】
【０００２】
一般的な血液透析治療用のダイアライザーコネクタは、図１に示すように、そのダイアライザーコネクタＡと導管Ｃが接続されて一体となっており、人工腎臓Ｂ等の装置に使用する際（図２参照）、ダイアライザーコネクタＡが人工腎臓Ｂ等の装置に螺合して固定されるが、この螺合して固定する過程においてダイアライザーコネクタＡが回転し、このとき導管Ｃも共に回転してしまい、導管Ｃが受けるトルクにより変形が生じ、以下のような問題が発生する。
【０００３】
１、   ダイアライザーコネクタＡの固定後、回転トルクにより変形が生じ、トルクが小さい場合は導管Ｃの変形した状態が維持され、導管Ｃ内部を流れる液体の流れが円滑でなくなり、腎臓透析等の医療過程の遅れや医療的タイミングを逃すことがある。
【０００４】
２、   導管Ｃがトルクを受けて変形した後、ダイアライザーコネクタＡと導管Ｃが一体となった構造のため、導管Ｃがそのものの弾性により徐々に元の形状を回復するとき、回復の逆回転トルクが生まれ、ダイアライザーコネクタＡを逆方向へ回転させ、ゆるみの現象が発生し、血液透析の過程においてダイアライザーコネクタＡの箇所で漏血することがあり、これは医療人員が緊急に処理しなければならない状況であり、患者の大量出血の危険につながる。
【０００５】
このため、いかにダイアライザーコネクタの取り付け時の利便性を高め、且つ、ダイアライザーコネクタと導管間の逆回転トルクと変形の発生を防ぐかが、本考案が解決する技術的問題である。
【考案の開示】
【考案が解決しようとする課題】
【０００６】
本考案の目的は、ダイアライザーコネクタをその他装置に固定するとき、螺合により発生する回転トルクにより接続管が連動されることなく、さらに導管がダイアライザーコネクタの固定の過程において変形せず、且つ、ダイアライザーコネクタを固定した後、導管に変形も反回転力もなく、ダイアライザーコネクタにゆるみの現象が生じないダイアライザーコネクタを提供することにある。
【課題を解決するための手段】
【０００７】
本考案のダイアライザーコネクタは、主にコネクタと接続管から構成され、そのうち、該コネクタ上にネジ刻み、上体、嵌合突起、嵌合体、溝槽、下体、嵌合溝、カバー体、溝槽と連結部を設け、そのうち、該接続管に凸リングと内リングを設置し、接続管がカバー体内に設置され、コネクタの上体と下体間が連結部により相互に連結されており、該連結部を介して上体と下体が閉じ合わされ、且つ、上体の嵌合突起が下体の嵌合溝と嵌合され、上体の嵌合体が下体のカバー体内に圧入され、同時に接続管が固定され、また、上体と下体は共に溝槽を備え、接続管の凸リングがその内部で滑動し、ダイアライザーコネクタと接続管間が回転及び滑動可能な構造であることを特徴とする。
【考案の効果】
【０００８】
本考案の進歩性と実用性及びその効果について従来品と比較すると以下のようにまとめることができる。
《従来の欠点》
１、   ダイアライザーコネクタと導管が固定された構造であるため、人工腎臓への装着に不便である。
２、  
コネクタ固定後、導管のねじれや変形を発生しやすく、導管の流通が円滑でなくなり、流量が減少し、血液透析効果の低下につながる。
３、  
導管がコネクタの螺合により変形を生じた後、その形状を回復しようと逆方向の回転力が発生し、コネクタのゆるみの発生につながる。
４、   第3点を受け、コネクタにゆるみが発生したとき、血液透析の過程においてダイアライザーコネクタ箇所で漏血が起こることがある。
５、   医療人員が血液透析の過程で不定期にコネクタにゆるみがないか検査する必要がある。
【０００９】
《本考案の利点》
１、   人工腎臓との取り付け及び取り外しが迅速で簡単である。
２、   取り付け及び取り外し時に導管の変形が生じない。
３、   コネクタの取り付け後、導管のトルクを受けてゆるみを発生することがない。
４、   第３点を受け、血液が外へ漏れることがない。
５、   導管がコネクタ内部において動く空間があるため、導管接合後の緊密度を制御しやすい。
６、   接続管がダイアライザーコネクタ内部において動く空間があるため、接続管とダイアライザーコネクタ接合後の緊密度がきつすぎることなく回転及び滑動が可能であり、コネクタが緩んで外れてしまうことがない。
７、  
進歩性、実用性及び利便性を備えている。
８、  
産業的競争力を向上する。
【考案を実施するための最良の形態】
【００１０】
以下、本考案のダイアライザーコネクタについて、その最良の実施例と図面に基づき、詳細に説明する。本考案のダイアライザーコネクタは、図３と図４に示すように、ダイアライザーのコネクタＤと接続管Ｅから構成され、そのうち、該コネクタＤ上にネジ刻みＤ１、上体Ｄ２、嵌合突起Ｄ２１、嵌合体Ｄ２２、溝槽Ｄ２３、下体Ｄ３、嵌合溝Ｄ３１、カバー体Ｄ３２、溝槽Ｄ３３と連結部Ｄ４を設け、該接続管Ｅに凸リングＥ１と内リングＥ２を設置する。
【００１１】
その構造の特徴は、図５にも合わせて示すように、導管Ｃを接続管Ｅの内リングＥ２内部に穿通して設置した後、接続管ＥをコネクタDのカバー体Ｄ３２内に設置し、さらに上体Ｄ２と下体Ｄ３間は連結部Ｄ４で相互に連結され、該連結部Ｄ４を介し上体Ｄ２と下体Ｄ３が閉じ合わされ、且つ、上体Ｄ２の嵌合突起Ｄ２１が下体Ｄ３の嵌合溝Ｄ３１と嵌合され、上体のＤ２の嵌合体Ｄ２２が下体Ｄ３のカバー体Ｄ３３内に圧入され、同時に接続管Ｅが固定される。
【００１２】
さらに、該上体Ｄ２と下体Ｄ３は共に溝槽Ｄ２３、Ｄ３３を備え、前記接続管Ｅの凸リングＥ１がその内部で滑動する。
【００１３】
前記コネクタＤ内部に前記接続管Ｅを設置した後、該コネクタＤと接続管Ｅ間は回転及び滑動が可能な構造となるため、ダイアライザーコネクタＤと人工腎臓等装置がネジにより固定されるとき、そのネジを回す際に発生する回転トルクを受けても接続管Ｅは連動されない。さらに、該ダイアライザーコネクタＤの螺合の過程において導管Ｃに変形が生じることもなく、且つ、該コネクタＤを固定した後、導管Ｃは変形も逆回転トルクもない状態であるため、該コネクタＤにゆるみの現象が発生することもない。
【００１４】
本考案のダイアライザーコネクタの組み立て実施例を図５及び図６に示す。該接続管Ｅの内リングＥ２を導管Ｃに穿通して設置した後、コネクタＤの下体Ｄ３のカバー体Ｄ３２内部に挿入し、連結部Ｄにより上体Ｄ２と下体Ｄ３が閉じ合わされ、且つ、上体Ｄ２の嵌合突起Ｄ２１が下体Ｄ３の嵌合溝Ｄ３１に嵌合され、上体のＤ２の嵌合体Ｄ２２が下体Ｄ３のカバー体Ｄ３３内に圧入されると同時に接続管Ｅが固定される。
【００１５】
ダイアライザーコネクタＤ内部に接続管Ｅを設置した後、コネクタＤと接続管Ｅ間は回転と滑動が可能な構造であるため、該コネクタＤと人工腎臓等の装置が螺合されて固定されるとき、螺合時に発生する回転トルクに接続管Ｅが連動されず、さらに、導管ＣがダイアライザーコネクタＤ螺合の過程において変形することもなく、且つ、ダイアライザーコネクタＤの固定後、導管Ｃには変形も逆回転力も発生しないため、ダイアライザーコネクタＤにゆるみの現象が起こることもない。
【００１６】
上述のように、本考案は従来技術を打破し、確実に目的とする効果を達成することができ、且つ、該項技術に熟練した者でなくとも容易に理解可能であり、さらに、本考案出願以前に公開されたことのない技術であり、その進歩性と実用性は実用新案登録の出願要件を満たすものであるため、法に基づきここに実用新案登録の出願をするものである。
【００１７】
以上の説明は本考案の最良の実施例を説明したものであり、本考案の特許の範囲を制限するものではなく、本考案の明細書及び図面の内容に基づいた同等効果を得ることができる構造の運用は、直接的または間接的に他の関連技術領域に運用したのものはすべて本考案の要旨の範囲内に含まれるものとする。
【図面の簡単な説明】
【００１８】
【図１】従来のダイアライザーコネクタの立体図である。
【図２】従来のダイアライザーコネクタの実施例図である。
【図３】本考案のダイアライザーコネクタの立体図である。
【図４】本考案のダイアライザーコネクタの立体分解図である。
【図５】本考案のダイアライザーコネクタの組立て断面図である。
【図５−１】本考案のダイアライザーコネクタの組立て図である。
【図６】本考案の実施例を示す立体図である。
【符号の説明】
【００１９】
A        従来のダイアライザーコネクタ
A１      ネジ刻み
B        人工腎臓
B１      接続端
C        導管
D        コネクタ
D１      ネジ刻み
Ｄ２      上体
Ｄ２１    嵌合突起
Ｄ２２    嵌合体
Ｄ２３    溝槽
Ｄ３      下体
Ｄ３１    嵌合溝
Ｄ３２    カバー体
Ｄ３３    溝槽
Ｄ４      連結部
Ｅ        接続管
Ｅ１      凸リング 
Ｅ２      内リング
【図１】
0003108036.tif 000003
【図２】
0003108036.tif 000004
【図３】
0003108036.tif 000005
【図４】
0003108036.tif 000006
【図５】
0003108036.tif 000007
【図５−１】
0003108036.tif 000008
【図６】
0003108036.tif 000009